(57)【要約】【課題】  可動部材に設けられる表示装置の輝度を高め、かつ視認性を向上させることが可能な表示装置とそれを備えた空気調和機を提供することである。【解決手段】  表示部３はオープンパネル２とＬＥＤ７と導光板５と反射板４とを備える。オープンパネル２は空気調和機本体に開閉自在に取り付けられている。ＬＥＤ７は本体に設けられている。導光板５はオープンパネル２に設けられ、オープンパネル２を本体に対して閉じたときにＬＥＤ７から出射した光が入射される入光面５Ａとその入射光を出射する出光面５Ｂとを有する。反射板４は導光板５の出光面５Ｂの一部を被覆する。導光板５の出光面５Ｂは反射板４の周囲縁の少なくとも一部を取り囲む領域で露出した周縁部５Ｃを有する。【選択図】        図４
2005148181.tif 000002
【特許請求の範囲】
【請求項１】
本体に開閉自在に取り付けられた可動部材と、
本体に設けられた発光素子と、
前記可動部材に設けられ、かつ、前記可動部材を本体に対して閉じたときに前記発光素子から出射した光が入射される入光面と、その入射された光を出射する出光面とを有する導光板と、
前記導光板の出光面の一部を被覆する反射板とを備え、
前記導光板の出光面は、前記反射板の周囲縁の少なくとも一部を取り囲む領域で露出した面を有する、表示装置。
【請求項２】
前記反射板の反射面は銀色を有する、請求項１に記載の表示装置。
【請求項３】
請求項１または請求項２に記載の表示装置を備えた、空気調和機。
【請求項４】
筺体に、室内の空気を吸込む吸込口と、吸込んだ空気を付勢する送風機と、吸込んだ空気を再び室内へ吹出す吹出口と、前記吸込口に設けられた塵埃を除去するエアフィルターと、前記エアフィルターの清掃を行うために開閉自在に設けられ、かつ、表示部を備えたオープンパネルと、筺体内に固定して設けられた、光を出射する発光素子と、を備えた空気調和機において、
前記表示部は、前記オープンパネルに設けられ、かつ、前記オープンパネルを閉じたときに前記発光素子から出射した光が入射される入光面と、その入射された光を出射する出光面とを有する導光板と、前記導光板の出光面の一部を被覆する反射板と、を含み、
前記導光板の出光面は、前記反射板の周囲縁の少なくとも一部を取り囲む領域で露出した面を有することを特徴とする、空気調和機。
【請求項５】
前記反射板の反射面は銀色を有する、請求項４に記載の空気調和機。
【発明の詳細な説明】
【技術分野】
【０００１】
本発明は、表示装置とそれを備えた空気調和機に関し、特定的には本体に開閉自在に取り付けられた可動部材に設けられる表示装置とそれを備えた空気調和機に関する。
【背景技術】
【０００２】
空気調和機などにおいては、ＬＥＤなどの発光素子から出射される光によって、所定の情報を表示する表示装置が使用されている。例えば、現在の運転状態を表示する運転表示、タイマーの設定状況を表示するタイマー運転表示、空気の汚れ具合を表示するお知らせ表示等の表示装置がある。この種の表示装置は発光素子と導光板から構成されているものもある。この場合、発光素子から出射された光を導光板の入光面に入射させ、導光板内で反射させながら導光板の出光面から出射させることで各種表示を行っていた。
【０００３】
このような従来の表示装置では、導光板の裏面にドット印刷を施し、そのドット印刷された裏面で光を反射させること、導光板の裏面に凹凸面を形成し、その凹凸面で乱反射させること等を行なうことによって、導光板に入射された光の減衰をできるだけ抑え、入射された光を効率よく出光面から出射させて、輝度を高めようとしていた。
【０００４】
また、たとえば、特開２００２−７２９３７号公報（特許文献１）では、発光素子と、入光面と出光面とを有する導光体とを備え、導光体をカバーにて固定し、導光体に入光した光をカバーで反射させて出光面から出光させるように構成することによって、出光側の輝度の低下を長期にわたって防止できて、効率よく出光させることが可能な表示装置が提案されている。
【特許文献１】特開２００２−７２９３７号公報
【発明の開示】
【発明が解決しようとする課題】
【０００５】
しかしながら、上述したように導光板の裏面にドット印刷を施すこと、凹凸面を形成すること等の対応策では、印刷の仕様や凹凸配置により輝度を調整しようとしても、出射光にムラが発生し、出射光の減衰も大きくなるため、輝度が低い上に、見た目も悪いという問題があった。
【０００６】
また、特開２００２−７２９３７号公報に開示された表示装置は、電装基板に一体化して取り付けられている。このため、本体に開閉自在に取り付けられた可動部材に表示装置を設けた場合、給電する必要があるので、本体と可動部材の間を電力供給用の配線で接続する必要がある。その結果、何度も可動部材を開閉する間に配線が損傷し、断線する恐れがあった。
【０００７】
さらに、上記の公報に開示された表示装置を可動部材に設けると、可動部材に電装基板が設けられることになる。このため、汚れた可動部材を水洗いする場合に、電装基板が故障するという問題がある。これにより、本体が空気調和機の場合には、近年の清潔志向にともなって可動部材を水洗いして美観を保つという使用者の要求を満足させることができない。
【０００８】
なお、カバーが白色の樹脂製である場合には、発光素子であるカラーＬＥＤ等からの光を透過する可能性があるので、視認上と外観上とにおいて好ましくなかった。
【０００９】
本発明の目的は、上記の問題を解決するとともに、可動部材に設けられる表示装置の輝度を高め、かつ視認性を向上させることが可能な表示装置とそれを備えた空気調和機を提供することである。
【課題を解決するための手段】
【００１０】
この発明に従った表示装置は、可動部材と発光素子と導光板と反射板とを備える。可動部材は、本体に開閉自在に取り付けられている。発光素子は本体に設けられている。導光板は、可動部材に設けられ、かつ、可動部材を本体に対して閉じたときに発光素子から出射した光が入射される入光面と、その入射された光を出射する出光面とを有する。反射板は導光板の出光面の一部を被覆する。導光板の出光面は、反射板の周囲縁の少なくとも一部を取り囲む領域で露出した面を有する。
【００１１】
この発明の表示装置においては、導光板に入射した光を反射板によって反射させることができるとともに、導光板の出光面のうち、反射板の周囲縁の少なくとも一部を取り囲む領域から光を出射させることができる。これにより、可動部材に設けられる表示装置の輝度を向上させ、かつ視認性を向上させることができる。
【００１２】
この発明の表示装置において、反射板の反射面は銀色を有するのが好ましい。このような構成にすることによって、導光板に入射した光が反射板を透過しにくくなるので、視認性をさらに向上させることができる。
【００１３】
この発明に従った空気調和機は、上述した構成を有する表示装置を備える。この発明の空気調和機によれば、室内の高所に取り付けられている室内機の表示部の視認性を向上させることができる。
【００１４】
この発明のもう一つの局面に従った空気調和機は、筺体に、室内の空気を吸込む吸込口と、吸込んだ空気を付勢する送風機と、吸込んだ空気を再び室内へ吹出す吹出口と、この吸込口に設けられた塵埃を除去するエアフィルターと、このエアフィルターの清掃を行うために開閉自在に設けられ、かつ、表示部を備えたオープンパネルと、筺体内に固定して設けられた、光を出射する発光素子とを備えた空気調和機において、以下のことを特徴とする。
【００１５】
表示部は、オープンパネルに設けられ、かつ、オープンパネルを閉じたときに発光素子から出射した光が入射される入光面と、その入射された光を出射する出光面とを有する導光板と、この導光板の出光面の一部を被覆する反射板とを含む。導光板の出光面は、反射板の周囲縁の少なくとも一部を取り囲む領域で露出した面を有する。
【００１６】
この発明の空気調和機において、反射板の反射面は銀色を有するのが好ましい。
【発明の効果】
【００１７】
以上のように、この発明によれば、可動部材に設けられる表示装置の輝度を向上させ、かつ視認性を向上させることができる。
【発明を実施するための最良の形態】
【００１８】
本発明の空気調和機の一つの実施の形態を図に従って説明する。
【００１９】
図１と図２は本発明の実施の形態に係るセパレート型空気調和機の室内機１の外観を示す斜視図である。室内機１は、筺体に、室内の空気を吸込む吸込口と、吸込んだ空気を付勢する送風機と、吸込んだ空気を再び室内へ吹出す吹出口と、この吸込口に設けられた塵埃を除去するエアフィルターと、このエアフィルターの清掃を行うために開閉自在に設けられたオープンパネル２とを備える。図１と図２に示すように、室内機１の本体には開閉自在の可動部材であるオープンパネル２が備え付けられており、オープンパネル２には表示部３が設けられている。また、図１ではオープンパネル２は室内機１本体に対して閉じられた状態にあり、図２ではオープンパネル２は室内機１本体に対して開いている状態にある。
【００２０】
図３は室内機１の側部断面図、図４は図３における表示部３の近傍を拡大して示す部分断面図、図５は表示部３の正面図である。
【００２１】
図３に示すように、オープンパネル２は、室内機１の本体に対して、矢印Pで示す方向に開閉自在になるように室内機１本体に取り付けられている。オープンパネル２には表示部３が取り付けられている。
【００２２】
図４に示すように、表示部３は、少なくとも光を反射する面（以下、反射面という）の色が銀色であるアルミニウムやステンレス鋼等の金属を原材料とする反射板４と、透明あるいは半透明の樹脂またはガラスなどから成型されている導光板５と、白色系統の樹脂から成型されているカバー６とからなる。また、室内機１の本体部には発光素子であるＬＥＤ７が備え付けられている。導光板５の出光面５Ｂには反射板４が貼り付けられている。
【００２３】
図４と図５に示すように、略正方形の平面形状を有する出光面５Ｂには、出光面５Ｂの平面形状と相似形でかつ出光面５Ｂより小さい平面形状を有する反射板４が取り付けられることにより、出光面５Ｂの露出面である周縁部５Ｃが反射板４の周囲縁４Ｃを略正方形状に（すなわち４辺すべてを）取り囲んでいる。このようにして反射板４の周囲縁４Ｃが出光面５Ｂの周縁部５Ｃに取り囲まれているので、ＬＥＤ７から導光板５に入射された光が周縁部５Ｃからのみ出射されるように構成されている。
【００２４】
図６は反射板４の単品形状を示す図であり、図６（Ａ）は反射板４の正面図、図６（Ｂ）は図６（Ａ）のＢ−Ｂ線に沿った反射板の概略断面図、図６（Ｃ）は図６（Ａ）のＣ−Ｃ線に沿った反射板の概略断面図である。図６（Ａ）に示すように、反射板４の平面形状は略正方形を有する。しかし、反射板の形状は限定されるものではなく、例えば、円形状、楕円形状、多角形状などでもよい。表面４Ａにはロゴなどを印刷、あるいはシールを貼り付けてもよい。また、図６（Ｂ）及び図６（Ｃ）に示すように、反射板４の周囲縁４Ｃはわずかに傾斜し、中央部が凹部になっているので、反射板４は器状になっている。しかし、反射板は平板状であってもよい。また、この実施の形態では、アルミニウムやステンレス鋼等の金属を材料としている反射板４の反射面４Ｂの色は、金属の光沢を利用した銀色仕上げとしているが、反射面４Ｂを鏡面仕上げとしてもよい。
【００２５】
図７は導光板５の単品形状を示す図であり、図７（Ａ）は導光板５の正面図、図７（Ｂ）は図７（Ａ）のＢ−Ｂ線に沿った導光板の概略断面図、図７（Ｃ）は図７（Ａ）のＣ−Ｃ線に沿った導光板の概略断面図である。図７（Ａ）に示すように、導光板５は入光面５Ａと出光面５Ｂを備えている。出光面５Ｂの平面形状は略正方形を有する。しかし、出光面の形状は限定されるものではなく、例えば、円形状、楕円形状、多角形状などでもよい。入光面５Ａに入射した光は、導光板５の内部で反射を繰り返しながら、出光面５Ｂに向かう方向へ進み、最終的に出光面５Ｂから出射されるように導光板５は構成されている。
【００２６】
図８はカバー６の単品形状を示す図であり、図８（Ａ）はカバー６の正面図、図８（Ｂ）は図８（Ａ）のＢ−Ｂ線に沿ったカバーの概略断面図、図８（Ｃ）は図８（Ａ）のＣ−Ｃ線に沿ったカバーの概略断面図である。
【００２７】
図９は、表示部３を構成する部品毎に分解した分解斜視図である。図９に示すように、反射板４と導光板５とカバー６はオープンパネル２に取り付けられる。まず、導光板５をオープンパネル２に取付けた後、導光板５を後背面から覆うようにしてカバー６を取り付ける。カバー６はねじ８によりオープンパネル２に固定される。カバー６は、導光板５をオープンパネル２に固定するとともに、導光板５の内部を反射しながら進む光をオープンパネル２の裏面側である室内機１の本体側に漏れにくくし、反射する役割も担っている。次に、オープンパネル２に固定された導光板５の出光面５Ｂに反射板４を固定する。固定手段としては、好ましくは透明の両面テープや透明の接着剤などを用いる。この場合、半透明の両面テープや半透明の接着剤を用いてもよい。このようにして、オープンパネル２に表示部３が取り付けられる。しかし、取り付け順序は上記の順序に限定されるものではなく、反射板４を導光板５の出光面５Ｂに貼り付けた後で、オープンパネル２にカバー６で固定する順序であってもよい。
【００２８】
図１０は上記したような構成の表示部３における光の行路を示す図である。図１０に示すように、室内機１に取り付けられている発光素子であるＬＥＤ７から出射した光は、オープンパネル２に備え付けられている導光板５の入光面５Ａから導光板５に入射する。導光板５に入射した光は、矢印９に示すように導光板５の内部で反射を繰り返しながら、出光面５Ｂの方向へ進み、出光面５Ｂから出射される。
【００２９】
図１０において矢印９で示すように、反射板４の反射面４Ｂは、出光面５Ｂから出射した光を反射し、再度、導光板５の内部に戻す。すなわち、反射板４が貼り付けられた部分からは光が導光板５の外に出ることができず、出光面５Ｂの露出面である周縁部５Ｃからのみ出射されるようになる。したがって、出光面５Ｂ全体から出射されるはずの光が周縁部５Ｃに集約されることになるので、周縁部５Ｃの輝度が高まることになる。
【００３０】
また、前述したように、導光板５を白色のカバー６により後背面から覆うことにより、導光板５の内部を反射しながら進む光がオープンパネル２の裏面側である室内機１の本体側に漏れにくくなるとともに、光がカバー６で反射する。このため、周縁部５Ｃの輝度を高めることができる。
【００３１】
さらに、金属製の反射板の反射面の色を銀色または鏡面仕上げにすることによって、光が透過しにくく、視認性がよくなる。これにより、室内の高所に取り付けられている室内機の表示部の視認性を向上させることができる。
【００３２】
発光素子が本体としての空気調和機に設けられ、導光板が可動部材としてのオープンパネルに設けられているので、導光板には給電の必要性がない。このため、オープンパネルを水洗いしても故障することがなく、清潔志向のユーザーのニーズを満たすことができる。
【００３３】
なお、この実施の形態において、カバー６は白色系統の樹脂にて成型されているが、シルバー系統の樹脂や、シルバー系統の金属で成型してもよい。カバー６のオープンパネル２への取り付けもねじ８ではなく、嵌合で固定してもよい。また、出光面５Ｂの露出面である周縁部５Ｃが反射板４の周囲縁４Ｃの３辺または２辺、あるいは一部を取り囲む構成になるように、反射板４を取り付けてもよい。さらに、反射板４の平面形状を出光面５Ｂの平面形状と相似形にしているが、相似形でなくてもよく、出光面５Ｂの略正方形形状に対して、円形状、楕円形状、多角形状などの反射板を取り付けてもよい。また、反射板の構成も、アルミニウムやステンレス鋼等の金属製に限定するものではなく、その他の構成として、例えば、銅や鉄などの金属や樹脂に、シルバー系統の金属メッキ、ホットスタンプ、塗装、アルミニウム蒸着、印刷などを施してもよい。
【００３４】
以上のようにこの実施の形態は一例に過ぎず、室内機の具体的な構成、導光板の形状や導光板の入出光面の形状、反射板の形状、カバーの形状などについても、すべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００３５】
【図１】本発明の一つの実施の形態に従ったセパレートタイプ空気調和機のオープンパネルを閉じた状態の室内機の外観を示す斜視図である。
【図２】本発明の一つの実施の形態に従ったセパレートタイプ空気調和機のオープンパネルを開いた状態の室内機の外観を示す斜視図である。
【図３】本発明の一つの実施の形態に従った室内機を示す側部断面図である。
【図４】図３における表示部の近傍を拡大して示す部分断面図である。
【図５】図３における表示部を示す正面図である。
【図６】本発明の一つの実施の形態に従った反射板の単品形状を示す図である。
【図７】本発明の一つの実施の形態に従った導光板の単品形状を示す図である。
【図８】本発明の一つの実施の形態に従ったカバーの単品形状を示す図である。
【図９】本発明の一つの実施の形態に従った表示部を構成する部品毎に分解した分解斜視図である。
【図１０】本発明の一つの実施の形態に従った表示部における光の行路を示す図である。
【符号の説明】
【００３６】
１  室内機
２  オープンパネル
３  表示部
４  反射板
４Ａ  表面
４Ｂ  反射面
４Ｃ  周囲縁
５  導光板
５Ａ  入光面
５Ｂ  出光面
５Ｃ  周縁部
６  カバー
７  ＬＥＤ
８  ねじ
９  矢印（光の進行を示す）
【図１】
2005148181.tif 000003
【図２】
2005148181.tif 000004
【図３】
2005148181.tif 000005
【図４】
2005148181.tif 000006
【図５】
2005148181.tif 000007
【図６】
2005148181.tif 000008
【図７】
2005148181.tif 000009
【図８】
2005148181.tif 000010
【図９】
2005148181.tif 000011
【図１０】
2005148181.tif 000012